【事件の表示】
　特願２００８−３４５４３号「空気調和機」拒絶査定不服審判事件〔平成２１年７月３０日出願公開、特開２００９−１６８４２５号〕について、次のとおり審決する。
【結　論】
　本件審判の請求は、成り立たない。
【理　由】
１．手続の経緯
　本件に係る出願（以下、「本願」という。）は、平成２０年２月１５日（優先権主張平成１９年１２月２１日）の出願であって、平成２０年６月３０日付けで拒絶査定がなされ（発送日：同年７月８日）、これに対し、同年８月７日に拒絶査定不服審判が請求されたものである。
　そして、平成２２年３月８日付けで当審にて拒絶理由通知がなされ、平成２２年４月２８日に手続補正がなされたものである。
　
２．本願発明について 
(1)本願発明 
　本願の請求項１に係る発明（以下、「本願発明」という。）は、平成２２年４月２８日付け手続補正書により補正された明細書、特許請求の範囲および図面の記載からみて、その特許請求の範囲の請求項１に記載された事項により特定される次のとおりのものである。    
「室内空気を浄化する空気清浄機能を有する室内機を備えた空気調和機であって、
　前記室内機が、室内空気を吸い込む上面および前面吸込口と、前記前面吸込口を開閉するように設けられた可動自在な前面パネルと、吸い込んだ空気と熱交換する熱交換器と、該熱交換器で熱交換された空気を搬送する室内ファンと、該室内ファンから送風された空気を吹き出す吹出口と、該吹出口から吹き出される空気の送風方向を上下に変更する上下羽根と、空気調和機の運転中に負に帯電した静電ミストを発生させる静電霧化装置を備え、
　前記静電霧化装置は前記熱交換器、室内ファン通過後の空気中に静電ミストを放出するように設け、かつ、
　冷房あるいは除湿運転停止後、一旦、送風運転と除湿運転と暖房運転とのうちいずれか一つ以上を行って前記室内機の内部を乾燥させる乾燥運転を行い、前記乾燥運転中又は前記乾燥運転終了後又はその双方において、前記静電霧化装置を所定時間運転するように制御して、前記負に帯電した静電ミストにより本体内部におけるかびや菌の発生を抑制する防かび・除菌制御と、前記吹出口からの吹き出し空気が前方上方に送風されて前記前面パネルの表面に沿って流れるように前記上下羽根を位置制御して、前記室内ファンと前記静電霧化装置を所定時間運転するように制御し、前記負に帯電した静電ミストの汚れ成分を親水性作用で浮き上がらせて分解する機能を利用した前面パネルの汚れ防止制御とを有し、
　冷房あるいは除湿運転停止後、前記前面パネルを駆動して前面パネルの上下を前面吸込口から離反させ当該前面吸込口を開状態にするとともに上下羽根を上向きにして、吹出口からの静電ミストを含む空気が前面パネル下端で当該前面パネルと室内機本体との間の前面吸込口から室内機本体内に流れ込む防かび・除菌流と前面パネルの表面を流れて上面吸込口へと流れる前面パネルの汚れ防止流となることにより防かび・除菌と前面パネルの汚れ防止を同時に行うことを特徴とする空気調和機。」
　
(2)刊行物
　当審が通知した拒絶の理由に引用され、本願の優先権主張日前に頒布された刊行物である特開２００４−６９１１０号公報（以下「刊行物」という。）には、図面と共に以下の事項が記載されている。
a)「【請求項１】
　前部と上部に吸込み口を備え、前面下部に吹出し口を備えた室内機本体と、　この室内機本体内に収容され、上記前部吸込み口と対向して配置される前側熱交換器部および上部吸込み口と対向して配置される後側熱交換器部とを側面視で逆Ｖ字状にして組合わせた熱交換器と、
　上記前部・上部吸込み口から室内空気を吸込んで上記熱交換器を通過させ、上記吹出し口から吹出す室内送風機と、
　上記熱交換器と上記前部・上部吸込み口との間に取付けられ、室内空気中の塵埃を捕捉除去するエアーフィルタと、
　上記熱交換器の一側端部で、かつ逆Ｖ字状の内側に配置され、室内機本体内に開口する吸込み案内部と、屋外に開口する吹出し案内部および上記吸込み案内部から空気を吸込んで上記吹出し案内部へ吹出す送風機構とから構成される換気ユニットとを具備したことを特徴とする
空気調和機の室内機
b)「さらに、熱交換器に付着する塵埃の量を少なくでき、
電気集塵機で発生したオゾンを室内機本体内に全体的に導いて、カビ等の発生を阻止できる
c)「
室内機本体１
　上記前面パネル２の前面側一部に
前部吸込み口４
開閉駆動機構５に支持された可動パネル２ａが嵌め込まれている
　前面パネル２および後板３の上部に亘って
上部吸込み口６
　上記可動パネル２ａ下部には、前面パネル２の一部を構成する半透明材からなる化粧板２ｂが室内機本体１の幅方向に亘って設けられる。この化粧板２ｂの下部側には、
２枚の吹出しルーバー８ａ，８ｂ
　各吹出しルーバー８ａ，８ｂは、室内機本体１の前面下部に沿って設けられる
吹出し口９
　室内機本体１内には、前側熱交換器部１０Ａと後側熱交換器部１０Ｂとで略逆Ｖ字状に形成される
熱交換器１０
　一方、前部吸込み口４と上部吸込み口６とに対向する室内機本体１内にエアーフィルタ１１が取付けられる。このエアーフィルタ１１は各吸込み口４，６と前部熱交換器部１０Ａと上部熱交換器部１０Ｂとの間に介在され、開放した吹出し口９上端と前面パネル２下端の間から着脱自在に挿着される。
　上記熱交換器１０の前側熱交換器部１０Ａの前面側で、かつ室内機本体１に対する正面視で右端部側にずれた位置に電気集塵機１２が取付けられる。この電気集塵機１２は、流通する空気中の塵埃に電荷を与える荷電側電極と、電荷を与えられた塵埃を引きつけて捕捉する集塵側電極とから構成される。
　なお電気集塵機１２は、通常の集塵時よりも集塵側電極との電位差が大きくなるように荷電側電極に高い高電圧を印加すると、多くのオゾンが発生するオゾン発生装置となる。このとき、周囲の空気の流れを制限するため送風機１３を停止もしくは極く低速運転することで、オゾンの発生量がより大となる。
　上記熱交換器１０の前後側熱交換器部１０Ａ，１０Ｂの相互間で、かつ上記吹出し口９との間に
室内送風機１３
d)「このようにして構成される空気調和機の室内機であって、リモコンの運転スイッチをオンに切換えると、前面パネル２の一部をなす可動パネル２ａが前部吸込み口４を開放し、冷房運転と暖房運転の指定に応じて吹出し口９に備えられる吹出しルーバー８ａ，８ｂが回動し、かつその姿勢が設定される。
　同時に、室内送風機１３が送風作用をなす一方で、室外機の圧縮機が駆動され冷凍サイクル運転が開始される。室内空気は、上部吸込み口６と前部吸込み口４から室内機本体１内に導かれ、エアーフィルタ１１を通過する。
室内空気中に含まれるほとんどの塵埃はエアーフィルタ１１によって捕捉され、塵埃が除去された状態で熱交換器１０を通過して熱交換作用が行われる。この熱交換空気は、吹出し通風路１８に沿って導かれ、吹出し口９から吹出しルーバー８ａ，８ｂに案内されて室内へ吹出され、効率のよい空調運転を継続する。
　上
記電気集塵機１２を機能させることにより
清浄化した空気が
室内に吹出される
e)「
空調運転終了時において清浄運転モードを選択すると
　図９に示すように、換気ユニット１５のダンパ駆動機構４５が作動してダンパ４０を回動させる。ダンパ４０の案内用換気口４３がユニットベース２０の２次用換気口２５と対向する位置に到達したら、ダンパの回動を停止する。この状態は、図７にも示されている。
　ついで、換気ユニット１５の送風機構３０が作動し、２次用換気口２５と案内用換気口４３を介して換気ユニット内に空気を吸込み、送風機構を介して吹出し口体３２から吹出す。
　上記
室内送風機１３は超低速運転
　通常、
冷房運転や除湿運転などを行って停止した直後
　そこで、上記清浄運転モードを選択して
、室内機本体１内の乾燥と殺菌運転を行わせる
　熱交換器１０を通過したあとの蒸発湿分を含んだ空気、すなわち２次側空気は、図１２に模式的に示すように換気ユニット１５に吸込まれ、かつ吹出し口体３２から吹出されて最終的には屋外へ排出される。蒸発湿分を含んだ空気を直接的に屋外へ排出することにより、熱交換器１０は勿論のこと
室内機本体１内は
完全乾燥
　さらに説明すると、図５に一点鎖線矢印で示すように、２次側空気はユニットベース２０の傾斜部２０ｂ外面と熱交換器１０との隙間を介して、垂直部２０ａ外面と横流ファン１３Ｆ端面との間に導かれる。
　そして、２次側空気は互いに対向する２次用換気口２５と案内用換気口４３を介してケーシング３３の吸込み口３１からこの内部に吸込まれ、吹出し口体３２から吹出される。
　このようにして、上記ダンパ４０の位置に応じて換気ユニット１５には室内機本体１内の空気を吸込み案内する第１の吸込み案内部Ｓａが形成される。これに対して、上記吹出し口体３２が換気ユニット１５から屋外へ吹出し案内する吹出し案内部となる。
　
上記運転を所定時間継続したあと電気集塵機１２に通電される
発生したオゾンが
室内空気によって運ばれる
　オゾンを含んだ室内空気は熱交換器１０を通過し、他の構成部品に接触して
殺菌
　なお、電気集塵機１２を熱交換器１０の右側端部方向へずれた位置に配置し、換気ユニット１５を熱交換器１０の左側端部に配置したから、電気集塵機１２で発生したオゾンを室内機本体１内に充満させ、全体的に行き亘せたあと換気でき、効率の良い本体内殺菌をなす。
　
所定時間経過後、電気集塵機１２の機能が停止され
　結局、この清浄運転モードを選択することにより、室内機本体１内の
殺菌・清浄化がなされ
　再び図１２に示すように、
清浄運転モードの運転中は、上側の吹出しルーバー８ａのみをわずかに開放させ、かつ室内送風機１３を超低速運転しているので、室内機本体１内を通過したあとの一部の空気が上記吹出しルーバー８ａから吹出される
　吹出された風は前面パネル２に沿って導かれ、再び上部吸込み口６に吸込まれる。したがって、
室内機本体１における吹出し口９と上部吸込み口６との間で、いわゆるショートサーキット風が形成され、可動パネル２ａを含めた前面パネル２の清浄・殺菌化に役立つ
　つぎに、リモコンに備えられた換気モードを選択すると、「１次側空気換気モード」が自動的に行われる。上記換気モードは空調運転と並行して選択してもよく、あるいは空調運転の停止時に選択してもよい。
　すなわち、冷房運転もしくは暖房運転しながら室内の換気を行いたい場合に、換気モードを選択する。あるいは、たとえば夏季の外出時に閉めきった室内に熱気が篭っていて、帰宅後早急に室内温度を下げて冷房負荷を抑える場合などは換気モードのみを選択するとよい。
　室内送風機１３は換気モードの選択に拘わらず空調運転の選択モードに応じた回転を行う。もしくは、換気運転のみが行われる場合には停止する。電気集塵機１２においても
空調運転の選択モードに応じたＯＮとなり
f)上記摘記事項eによると、
清浄運転モードの運転中は、室内送風機１３の超低速運転を行い、室内機本体１内を完全乾燥する乾燥運転を行い、乾燥運転を所定時間継続したあと室内送風機１３の超低速運転を継続したまま電気集塵機１２に所定時間通電する
　
　上記記載事項及び図面の図示内容からみて、刊行物には、次の発明が記載されている。
「電気集塵機１２を機能させることにより清浄化した空気が室内に吹出される空気調和機の室内機本体１であって、室内機本体１は、上部吸込み口６と前部吸込み口４と、前部吸込み口４に嵌め込まれている開閉駆動機構５に支持された可動パネル２ａと、熱交換器１０と、室内送風機１３と、吹出し口９と、２枚の吹出しルーバー８ａ、８ｂと、空調運転の選択モードに応じてＯＮとなり清浄化した空気を室内に吹出す電気集塵機１２とを備え、
　冷房運転や除湿運転などの空調運転終了時において清浄運転モードの運転中は、室内送風機１３の超低速運転を行い、室内機本体１内を完全乾燥する乾燥運転を行い、乾燥運転を所定時間継続したあと室内送風機１３の超低速運転を継続したまま電気集塵機１２に所定時間通電することにより、室内空気によって運ばれる発生したオゾンを室内機本体１内に全体的に導いてカビの発生を阻止し、殺菌・清浄化するとともに、室内機本体１内を通過したあとの一部の空気をわずかに開放された上側の吹出しルーバー８ａから吹出して、吹出し口９と上部吸込み口６との間にショートサーキット風を形成し、可動パネル２ａを含めた前面パネル２を清浄・殺菌化する殺菌運転を行う
空気調和機の室内機本体１。」
　
３．対比
　本願発明と刊行物に記載された発明を対比する。
　刊行物に記載された発明の「電気集塵機１２を機能させることにより清浄化した空気が室内に吹出される」ことは、その構成および機能からみて、本願発明の「室内空気を浄化する空気清浄機能を有する」ことに相当し、以下同様に、
　「空気調和機の室内機本体１」は、空気調和機が室内機本体１を備えることであるから、「室内機を備えた空気調和機」に、
　「室内機本体１」は「室内機」に、
　「上部吸込み口６」は「室内空気を吸い込む上面」「吸込口」に、
　「前部吸込み口４」は「室内空気を吸い込む」「前面吸込口」に、
　「前部吸込み口４に嵌め込まれている開閉駆動機構５に支持された」「可動パネル２ａ」は「前面吸込口を開閉するように設けられた可動自在な」「前面パネル」に、
　「熱交換器１０」は「吸い込んだ空気と熱交換する熱交換器」に、
　「室内送風機１３」は「熱交換器で熱交換された空気を搬送する室内ファン」に、
　「吹出し口９」は「室内ファンから送風された空気を吹き出す吹出口」に、
　「２枚の吹出しルーバー８ａ、８ｂ」は「吹出口から吹き出される空気の送風方向を上下に変更する上下羽根」に、
　「冷房運転や除湿運転などの空調運転終了時」は「冷房あるいは除湿運転停止後」に、
　「乾燥運転を所定時間継続したあと」は「乾燥運転終了後」に、
　「室内送風機１３の超低速運転を行い、室内機本体１内を完全乾燥する乾燥運転を行」うことは「一旦、送風運転を行って室内機の内部を乾燥させる乾燥運転を行」うことに、
それぞれ相当する。
　そして、刊行物に記載された発明の「空調運転の選択モードに応じてＯＮとなり清浄化した空気を室内に吹出す電気集塵機１２」と本願発明の「空気調和機の運転中に負に帯電した静電ミストを発生させる静電霧化装置」とは、「空気調和機の運転中に室内空気を浄化する空気清浄機能を有する装置」である点で共通し、以下同様に、
　「乾燥運転を所定時間継続したあと室内送風機１３の超低速運転を継続したまま電気集塵機１２に所定時間通電することにより、室内空気によって運ばれる発生したオゾンを室内機本体１内に全体的に導いてカビの発生を阻止し、殺菌・清浄化する」「殺菌運転」と「静電霧化装置を所定時間運転するように制御して、負に帯電した静電ミストにより本体内部におけるかびや菌の発生を抑制する防かび・除菌制御」とは、「室内空気を浄化する空気清浄機能を有する装置を所定時間運転するように制御して、本体内部におけるかびや菌の発生を抑制する防かび・除菌制御」である点で、
　「室内機本体１内を通過したあとの一部の空気をわずかに開放された上側の吹出しルーバー８ａから吹出して、吹出し口９と上部吸込み口６との間にショートサーキット風を形成し、可動パネル２ａを含めた前面パネル２を清浄・殺菌化する殺菌運転」と「吹出口からの吹き出し空気が前方上方に送風されて前面パネルの表面に沿って流れるように上下羽根を位置制御して、室内ファンと静電霧化装置を所定時間運転するように制御し、負に帯電した静電ミストの汚れ成分を親水性作用で浮き上がらせて分解する機能を利用した前面パネルの汚れ防止制御」とは、前者において、殺菌運転では電気集塵機１２が通電され、「室内機本体１内を通過したあとの一部の空気」に電気集塵機１２により発生されたオゾンが含まれていることから、両者は、「吹出口からの吹き出し空気が前方上方に送風されて前面パネルの表面に沿って流れるように上下羽根を位置制御して、室内ファンと室内空気を浄化する空気清浄機能を有する装置を所定時間運転するように制御した前面パネルの汚れ防止制御」である点で、
　それぞれ共通する。
　また、刊行物に記載された発明の「殺菌運転」と、本願発明の「前面パネルを駆動して前面パネルの上下を前面吸込口から離反させ当該前面吸込口を開状態にするとともに上下羽根を上向きにして、吹出口からの静電ミストを含む空気が前面パネル下端で当該前面パネルと室内機本体との間の前面吸込口から室内機本体内に流れ込む防かび・除菌流と前面パネルの表面を流れて上面吸込口へと流れる前面パネルの汚れ防止流となることにより防かび・除菌と前面パネルの汚れ防止を同時に行うこと」とは、前者が、殺菌運転において、オゾンを室内機本体１内に全体的に導いてカビの発生を阻止し、殺菌・清浄化するとともに、前面パネル２を清浄・殺菌化することを同時に行うことであるから、両者は、「防かび・除菌と前面パネルの汚れ防止を同時に行うこと」で共通する。
　
　したがって、上記両者の一致点及び相違点は、次のとおりである。　　　［一致点］
「室内空気を浄化する空気清浄機能を有する室内機を備えた空気調和機であって、
　前記室内機が、室内空気を吸い込む上面および前面吸込口と、前記前面吸込口を開閉するように設けられた可動自在な前面パネルと、吸い込んだ空気と熱交換する熱交換器と、該熱交換器で熱交換された空気を搬送する室内ファンと、該室内ファンから送風された空気を吹き出す吹出口と、該吹出口から吹き出される空気の送風方向を上下に変更する上下羽根と、空気調和機の運転中に室内空気を浄化する空気清浄機能を有する装置を備え、
　冷房あるいは除湿運転停止後、一旦、送風運転を行って前記室内機の内部を乾燥させる乾燥運転を行い、前記乾燥運転終了後において、前記室内空気を浄化する空気清浄機能を有する装置を所定時間運転するように制御して、本体内部におけるかびや菌の発生を抑制する防かび・除菌制御と、
　前記吹出口からの吹き出し空気が前方上方に送風されて前記前面パネルの表面に沿って流れるように前記上下羽根を位置制御して、前記室内ファンと前記室内空気を浄化する空気清浄機能を有する装置を所定時間運転するように制御する前面パネルの汚れ防止制御とを有し、
　防かび・除菌と前面パネルの汚れ防止を同時に行う
　空気調和機。」
　
［相違点］
　本願発明では、室内空気を浄化する空気清浄機能を有する装置が、負に帯電した静電ミストを発生させる静電霧化装置であり、熱交換器、室内ファン通過後の空気中に静電ミストを放出するように設けられ、発生される負に帯電した静電ミストにより本体内部におけるかびや菌の発生を抑制する防かび・除菌制御と、発生される負に帯電した静電ミストの汚れ成分を親水性作用で浮き上がらせて分解する機能を利用した前面パネルの汚れ防止制御とを有し、防かび・除菌と前面パネルの汚れ防止を同時に行う手段が、前面パネルを駆動して前面パネルの上下を前面吸込口から離反させ当該前面吸込口を開状態にするとともに上下羽根を上向きにして、吹出口からの静電ミストを含む空気が前面パネル下端で当該前面パネルと室内機本体との間の前面吸込口から室内機本体内に流れ込む防かび・除菌流と前面パネルの表面を流れて上面吸込口へと流れる前面パネルの汚れ防止流となることにより防かび・除菌と前面パネルの汚れ防止を同時に行うものであるのに対して、
　刊行物に記載された発明では、室内空気を浄化する空気清浄機能を有する装置が、オゾンを発生する電気集塵機１２であり、室内空気によって運ばれる発生したオゾンを室内機本体１内に全体的に導いてカビの発生を阻止し、殺菌・清浄化がなされ、可動パネル２ａを含めた前面パネル２の清浄・殺菌化をするが、本願発明の上記発明特定事項を具備しない点。
　
４．当審の判断
　空気調和機の室内機の技術分野において、室内機内の防かび・除菌のために、前面パネルを駆動して前面パネルの上下を前面吸込口から離反させ当該前面吸込口を開状態にするとともに上下羽根を上向きにして、吹出口からの静電ミストを含む空気が前面パネル下端で当該前面パネルと室内機本体との間の前面吸込口から室内機本体内に流れ込む防かび・除菌流と前面パネルの表面を流れて上面吸込口へと流れる前面パネルの汚れ防止流となることにより防かび・除菌と前面パネルの汚れ防止を同時に行うことは、本願出願前周知の技術事項である（例えば、特開２００６−１６２１３９号公報の段落【0004】〜【0010】、【0044】〜【0047】、【図7】や、特開２００７−２０５６５６号公報の段落【0045】、【0046】、【0051】〜【0055】、【図8】を参照。以下「周知の技術事項１」という。）。
　また、空気調和機の室内機の技術分野において、負に帯電した静電ミストを発生させる静電霧化装置を熱交換器、室内ファン通過後の空気中に静電ミストを放出するように設け、放出される負に帯電した静電ミストが脱臭、殺菌、臭気成分や有害物質除去機能を有することは、本願出願前周知の技術事項である（例えば、特開２００５−２８２８７３号公報の段落【0006】、【0013】、【0028】、【0031】、【図3】や、特開２００６−２３４２４５号公報の【0007】、【0012】、【0019】、【0031】、【図6】や、特開２００６−２９６６３号公報の段落【0006】、【0019】、【0032】、【図2】参照。以下「周知の技術事項２」という。）。
　したがって、刊行物に記載された発明に、室内機内の防かび・除菌のために上記周知の技術事項１を適用するとともに、その際に、上記周知の技術事項２に倣って、刊行物に記載された発明の電気集塵機１２を脱臭、殺菌、臭気成分や有害物質除去機能を有する負に帯電した静電ミストを発生する静電霧化装置に置き換え、上記相違点において本願発明が具備する発明特定事項に到達することは当業者が容易になし得たものである。
　また、本願発明が奏する効果についてみても、刊行物に記載された発明および周知の技術事項により奏される効果から当業者が予測できる範囲内のものである。
　よって、本願発明は、刊行物に記載された発明および周知の技術事項に基づいて当業者が容易に発明をすることができたものである。
　
５．むすび  
　以上のとおりであるから、本願発明は、刊行物に記載された発明および周知の技術事項に基いて当業者が容易に発明をすることができたものであるので、特許法第２９条第２項の規定により特許を受けることができない。 
　
　よって、結論のとおり審決する。